(57)【要約】      （修正有）【課題】太陽光モジュールにおける、鳥類の飛着を防止できる鳥類着地防止装置を提供する。【解決手段】太陽光モジュール１０の上縁の一側終端部に上部に突出するように結合可能な第１支柱棒１１０と、第１支柱棒の設置位置に対向する太陽光モジュールの上縁の他側終端部に上部に突出するように結合可能な第２支柱棒１２０と、前記第１支柱棒と第２支柱棒の中間位置で上部に突出するように結合可能な第３支柱棒１３０と、前記第１〜第３支柱棒の突出高さより相対的に低い高さで前記太陽光モジュールの上縁と平行した方向に前記第１〜第３支柱棒を連結する鳥類着地防止ワイヤー１４０を含んでなる、太陽光モジュール用鳥類着地防止装置。【選択図】図３
2016201979.tif 000002
【特許請求の範囲】
【請求項１】
複数個の太陽電池を具備して電力を発生させる太陽光モジュールに設置される鳥類着地防止装置において、
太陽光モジュールの上縁の一側終端部に上部に突出するように結合可能な第１支柱棒と；
前記第１支柱棒の設置位置に対向する太陽光モジュールの上縁の他側終端部に上部に突出するように結合可能な第２支柱棒と；
前記第１支柱棒と第２支柱棒の中間位置で上部に突出するように結合可能な第３支柱棒と；
前記第１〜第３支柱棒の突出高さより相対的に低い高さで前記太陽光モジュールの上縁と平行した方向に前記第１〜第３支柱棒を連結する鳥類着地防止ワイヤーを含んでなる、太陽光モジュール用鳥類着地防止装置。
【請求項２】
第１支柱棒および第２支柱棒の形状は下端部から中段部までその中心線に対して対称に傾斜をなし、中段部から上端部まで柱状に形成されることを特徴とする、請求項１に記載の太陽光モジュール用鳥類着地防止装置。
【請求項３】
第３支柱棒の上端部には前記鳥類着地防止ワイヤーをかけることができる溝が形成されたことを特徴とする、請求項２に記載の太陽光モジュール用鳥類着地防止装置。
【請求項４】
第１支柱棒と第３支柱棒ははさみ形式で太陽光モジュールの上縁に結合可能であることを特徴とする、請求項１に記載の太陽光モジュール用鳥類着地防止装置。
【請求項５】
第１支柱棒〜第３支柱棒は太陽光モジュールの上縁にねじ結合可能であることを特徴とする、請求項１に記載の太陽光モジュール用鳥類着地防止装置。
【請求項６】
前記鳥類着地防止ワイヤーはクロムワイヤーまたはサス(SUS)中の選択されたいずれか一つであることを特徴とする、請求項１に記載の太陽光モジュール用鳥類着地防止装置。
【発明の詳細な説明】
【技術分野】
【０００１】
本発明は太陽光モジュール用鳥類着地防止装置に関するもので、より詳細には太陽光モジュールの上端に設置して鳥類が太陽光モジュールに着地することを防止することによって、鳥類の排泄物によって太陽光モジュールが汚染されることを防止することができる太陽光モジュール用鳥類着地防止装置に関するものである。
【背景技術】
【０００２】
太陽光発電のための太陽電池は、シリコンや各種化合物から出発、ソーラーセル(Solar cell)の形態となると、電気を発生することができるようになる。しかし、一つのセル(cell)では十分な出力を得ることができないので、それぞれのセルを直列あるいは並列状態に連結しなければならないが、このように連結された状態を「太陽光モジュール(solar module)」と呼ぶ。
【０００３】
太陽光モジュールを構成するシリコンセルの場合、一度作られると品質が半永久的で、薄膜セルの場合も膜自体が強固に結合されるので、効率にさほど影響を及ぼさない。したがって、モジュールの連結方式(直列あるいは並列)、温度条件などの環境により効率が異なって現れる。直列に太陽電池が連結される場合、出力の異なるセルが一つ混ざることになれば、低い電流側に全体の電流が調整され、同じ条件で並列連結すると、低い電圧側に全体の電圧が調整されるなどの異なる特性が発現する。太陽光パネルのうち、最も広く普及されている形態は平面型であり、平面型の太陽光パネルに太陽光が照射されると光電変換の可能な太陽光波長を利用して、パネル内に配置されたソーラーセルがDC電圧を出力することになる。
【０００４】
このような太陽光モジュールの効率が低下する理由としては、セルの均一性、ホットスポット(hot spot・ソーラーセルの特定の部分のみ温度が高い場合)、排熱不均一、温度、モジュール表面の汚染、モジュールの老化など、様々な理由がある。
【０００５】
例えば、鳥類が太陽光モジュールの上部に着地する場合、図１に示した通り、前記太陽光モジュールが鳥類の排泄物で汚染される恐れがある。鳥類の排泄物には多量の尿酸が含まれている。尿酸(尿素、urea)とは、鳥類が蛋白質を消化・分解して排泄する窒素の主要形態を意味する。前記尿酸が太陽光モジュールに付いているとパネルを腐食させ、前記排泄物は太陽光セルへの太陽光の入射を妨害して太陽光モジュールの発電効率を低下させるという、問題点がある。
【０００６】
このような問題を解決するための従来技術に係る方法としては、図２aおよび図２bに示した通り、太陽光モジュールの上縁に鳥類が着地できないように尖がった鳥類着地防止棒を設置する方法が利用されている。太陽光パネルの周辺に針金などを利用した鳥類着地防止棒を別途設置して、鳥類の排泄物による被害を減少させている。しかし、従来技術でのような、尖った鉄の針を利用した鳥類着地防止棒は外見がよくなく、鳥類着地防止棒に鳥類が刺されて死んだり、点検整備の職員が怪我をしたりする場合も発生する可能性がある。
【先行技術文献】
【特許文献】
【０００７】
【特許文献１】韓国１０-２０１３-０１２５２２１号公報（出願番号：１０-２０１２-００４８７９５、発明の名称：水上太陽光モジュール用鳥類接近防止装置およびこれを利用した水上太陽光モジュール）
【発明の概要】
【発明が解決しようとする課題】
【０００８】
本発明は太陽光モジュールの上端縁に鳥類が着地することを防止できる太陽光モジュール用鳥類着地防止装置を提供することを目的とする。
【０００９】
本発明の他の目的は、機構的構成が簡単な太陽光モジュール用鳥類着地防止装置を提供することである。
【００１０】
本発明のさらに他の目的は、設置費用が安価な太陽光モジュール用鳥類着地防止装置を提供することである。
【課題を解決するための手段】
【００１１】
このような目的を達成するための本発明に係る太陽光モジュール用鳥類着地防止装置は、複数個の太陽電池を具備して電力を発生させる太陽光モジュールの上縁の一側終端部に上部に突出するように結合可能であり、下端部から中段部までその中心線に対して対称に傾斜をなし、中段部から上端部まで柱状に形成され、太陽光モジュールの上縁にはさみ結合または、ねじ結合可能な第１支柱棒と；前記第１支柱棒の設置位置に対向する太陽光モジュールの上縁の他側終端部に上部に突出するようにはさみ結合または、ねじ結合可能であり、下端部から中段部までその中心線に対して対称に傾斜をなし、中段部から上端部まで柱状に形成される第２支柱棒と；前記第１支柱棒と第２支柱棒の突出高さより相対的に低い高さで前記太陽光モジュールの上縁と平行した方向に前記第１支柱棒と第２支柱棒を連結するクロムワイヤーまたはサス(SUS)中の選択されたいずれか一つの材質で構成された鳥類着地防止ワイヤーと；前記第１支柱棒と第２支柱棒の中間位置で上部に突出して前記鳥類着地防止ワイヤーをかけることができる溝が形成された第３支柱棒を含んでなることを構成の特徴とする。
【発明の効果】
【００１２】
本発明に係る太陽光モジュール用鳥類着地防止装置は次のような効果が期待できる。
【００１３】
第１、太陽光モジュールの上端縁に比べて相対的に薄いため、鳥類が着地することを防止することができる。
【００１４】
第２、比較的簡単な構成からなるため、設置過程が単純で設置費用が安価である。
【００１５】
第３、鳥類着地防止ワイヤーがクロムワイヤーまたはサス(SUS)中のいずれか一つからなるため、使用寿命が長い。
【図面の簡単な説明】
【００１６】
【図１】従来技術に係る太陽光モジュール用鳥類着地防止装置の構成を示した例示図。
【図２ａ】従来技術に係る太陽光モジュール用鳥類着地防止装置の構成を示した例示図。
【図２ｂ】従来技術に係る太陽光モジュール用鳥類着地防止装置の構成を示した例示図。
【図３】本発明に係る太陽光モジュール用鳥類着地防止装置の一実施例に係る構成を示した例示図。
【図４】本発明に係る太陽光モジュール用鳥類着地防止装置の第１支柱棒および第３支柱棒の構成を示した例示図。
【図５】本発明に係る太陽光モジュール用鳥類着地防止装置の第３支柱棒の形状を示した例示図。
【図６】本発明に係る太陽光モジュール用鳥類着地防止装置の他の実施例に係る構成を示した例示図。
【発明を実施するための形態】
【００１７】
図３は本発明に係る太陽光モジュール用鳥類着地防止装置の一実施例に係る構成を示した例示図である。
【００１８】
図３に図示された通り、本発明に係る太陽光モジュール用鳥類着地防止装置１００は、複数個の太陽電池１１を具備して電力を発生させる太陽光モジュール１０の上縁の一側終端部に上部に突出するように結合可能な第１支柱棒１１０と；前記第１支柱棒１１０の設置位置に対向する太陽光モジュール１０上縁の他側終端部に上部に突出するように結合可能な第２支柱棒１２０と；前記第１支柱棒１１０と第２支柱棒１２０の中間位置で上部に突出するように結合可能な第３支柱棒１３０と；前記第１〜第３支柱棒１１０，１２０，１３０の突出高さより相対的に低い高さで前記太陽光モジュール１０上縁と平行した方向に前記第１〜第３支柱棒１１０，１２０，１３０を連結する鳥類着地防止ワイヤー１４０を含んでなる。
【００１９】
第１支柱棒〜第３支柱棒１１０，１２０，１３０の材質は外部接触環境と反応して変質および破壊されて腐食することを防止できる材質の金属を使用した方が好ましい。腐食を防止するためにステンレスのような合金を使用するか、腐食に強い材料で表面を被覆するか、耐食性の良いアルミニウム、またはサス(SUS；日本工業規格によるSteel Use Stainless)を使用する方法も可能である。
【００２０】
互いに対向する位置に設置される第１支柱棒１１０および第２支柱棒１２０は同じ形状を有する。その形状を見ると、図４に図示された通り、下端部１１１から中段部１１２までその中心線に対して対称に傾斜面１１０aが形成されている。中段部１１２から上端部１１３まで柱状をなしている。
【００２１】
図５に図示された通り、第３支柱棒１３０の上端部には前記鳥類着地防止ワイヤー１４０をかけることができる溝１３１が形成されている。
【００２２】
第１支柱棒〜第３支柱棒１１０，１２０，１３０は太陽光モジュール１０の上縁にねじ結合で連結された方が好ましく、このような結合のために各支柱棒１１０，１２０，１３０にはねじ結合のための穴が形成されることは言うまでもない。
【００２３】
本発明で使われた鳥類着地防止ワイヤー１４０はピアノ線のように弾性が良いワイヤーを使用した方が好ましい。例えば、クロムワイヤーまたはサス(SUS)中のいずれか一つを使用すると周辺の湿気によって表面に錆がつくことを防止でき、その使用寿命が一般の針金と比べて長く、交替周期が長くなるのでメンテナンスに要される費用を節減することができる。
【００２４】
図６は本発明に係る太陽光モジュール用鳥類着地防止装置の他の実施例に係る構成を示した例示図である。図３の実施例と異なる点は第１支柱棒と第３支柱棒ははさみ１５０により太陽光モジュールの上縁に結合可能な点である。
【符号の説明】
【００２５】
１０  太陽光モジュール
１１  太陽電池
１００  太陽光モジュール用鳥類着地防止装置
１１０  第１支柱棒
１１０a  傾斜面
１１１  下端部
１１２  中段部
１１３  上端部
１２０  第２支柱棒
１３０  第３支柱棒
１３１  溝
１４０  鳥類着地防止ワイヤー
１５０  はさみ
【図３】
2016201979.tif 000003
【図４】
2016201979.tif 000004
【図５】
2016201979.tif 000005
【図６】
2016201979.tif 000006
【図１】
2016201979.tif 000007
【図２ａ】
2016201979.tif 000008
【図２ｂ】
2016201979.tif 000009
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
複数個の太陽電池を具備して電力を発生させる太陽光モジュールの上縁の一側終端部に上部に突出するようにはさみ結合または、ねじ結合可能であり、下端部(１１１)から中段部(１１２)までその中心線に対して対称に傾斜(１１０a)をなし、中段部(１１２)から上端部(１１３)まで柱状に形成され、太陽光モジュールの上縁に結合可能な第１支柱棒(１１０)と；
前記第１支柱棒(１１０)と同じ形状を有して前記第１支柱棒(１１０)の設置位置に対向する太陽光モジュールの上縁の他側終端部にはさみ結合または、ねじ結合される第２支柱棒(１２０)と；
前記第１支柱棒と第２支柱棒の突出高さより相対的に低い高さで前記太陽光モジュールの上縁と平行した方向に前記第１支柱棒と第２支柱棒を連結するクロムワイヤーまたはサス(SUS)中の選択されたいずれか一つの材質で構成された鳥類着地防止ワイヤー(１４０)と；
前記第１支柱棒(１１０)と第２支柱棒(１２０)の中間位置で上部に突出して前記鳥類着地防止ワイヤー(１４０)をかけることができる溝１３１が形成された第３支柱棒(１３０)を含んでなる、太陽光モジュール用鳥類着地防止装置。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
複数個の太陽電池を具備して電力を発生させる太陽光モジュールの上縁の一側終端部に上部に突出するようにはさみ結合または、ねじ結合可能であり、所定の傾斜角度で太陽光モジュールを傾斜させて設置する構成において、下端部（１１１）から中段部（１１２）までその中心線に対して対称に分岐する傾斜（１１０ａ）をなし、その傾斜（１１０ａ）は、太陽光モジュールの前記傾斜角度に対応する角度であって、中段部（１１２）から上端部（１１３）まで柱状に形成され、前記傾斜によってその柱状部分が略鉛直に配置されるように構成される太陽光モジュールの上縁に結合可能な第１支柱棒（１１０）と；
前記第１支柱棒（１１０）と同じ形状を有して前記第１支柱棒（１１０）の設置位置に対向する太陽光モジュールの上縁の他側終端部にはさみ結合または、ねじ結合される第２支柱棒（１２０）と；
前記第１支柱棒と第２支柱棒の突出高さより相対的に低い高さで前記太陽光モジュールの上縁と平行した方向に前記第１支柱棒と第２支柱棒を連結するクロムワイヤーまたはサス（ＳＵＳ）中の選択されたいずれか一つの材質で構成された鳥類着地防止ワイヤー（１４０）と；
前記第１支柱棒（１１０）と第２支柱棒（１２０）の中間位置で上部に突出して前記鳥類着地防止ワイヤー（１４０）をかけることができる溝１３１が形成された第３支柱棒（１３０）を含んでなる、太陽光モジュール用鳥類着地防止装置。